【事件の表示】
　特許第２６７６０３０号「ディスク」の特許に対する特許異議の申立てについて、次のとおり決定する。
【結論】
　特許第２６７６０３０号の特許を取り消す。
【理由】
（Ａ）手続きの経緯
　本件特許２６７６０３０号発明は、昭和６０年６月１４日に特許出願され、平成９年７月２５日に特許登録がなされた。その後、山下義和、飯島洋、北村清隆、森田宏司、黒岩景、大澤幸子、田村典子より特許異議の申立がなされ、取消理由通知がなされ、その指定期間内である平成１０年１２月２５日に訂正請求がなされた。これに対して、当審は、訂正請求された明細書の特許請求の範囲に記載された発明は、引用刊行物１（「標準ＭＳ−ＤＯＳハンドブック」（１９８４年８月３１日発行）アスキー出版局　第１７〜２３、３０〜４５、２０８〜２１７頁）及び引用刊行物２（特開昭５８−５６１４６号公報）記載の事項に基づいて当業者が容易に発明することができたものであり、特許法第２９条第２項の規定により特許出願の際独立して特許を受けることができないものであるから、本件訂正請求は、特許法第１２０条の４第３項で準用する特許法第１２６条第４項の規定に適合しないので、当該訂正請求は認められない旨通知したところ、請求人より平成１１年２月１５日付で手続補正書（訂正請求書）が出された。
（Ｂ）平成１１年２月１５日付補正について
（Ｂ−１）補正の内容
特許請求の範囲を以下のように補正するとした。
「デジタル情報を記憶し、情報処理装置の光ディスクドライブ装置に着脱可能でＣＤブーツを実現する一枚の光ディスクであって、
　少なくとも、第１の記憶領域と第２の記憶領域と第３の記憶領域と第４の記憶領域とを有し、
　前記第１の記憶領域は前記情報処理装置が初期に読み出す位置に配置され、前記第２の記憶領域から前記情報処理装置へ次に実行されるプログラムを読み出すためのブーツストラッププログラムが記憶されており、
　前記第２の記憶領域は前記ブーツストラッププログラムが読み出す位置に配置され、前記情報処理装置を動作させて前記第３の記憶領域に格納されたアプリケーションプログラムを実行するためのシステムプログラムであって、使用に先立って前記第３の記憶領域に格納された、選択時に該システムプログラムが実行しなければならない予め固定された複数のアプリケーションプログラムをオペレータによるリクエスト無しに選択可能に表示し、オペレータの選択指示に従って選択されたアプリケーションプログラムを前記第３の記憶領域から読出して実行する該システムプログラムが記憶されており、
　前記第３の記憶領域は前記システムプログラムの管理下で読み出される位置にあって、前記選択表示されたアプリケーションプログラムを含む予め固定された複数のアプリケーションプログラムが前記システムプログラムにより選択読み出しが可能に配置されており、
　前記第４の記憶領域は前記アプリケーションプログラムが使用する位置に配置され、文字情報、グラフィック情報、音声情報を含む情報が読み出し可能に記憶されていることを特徴とする光ディスク。」
（Ｂ−２）補正の適否
　当該補正は第３の記憶領域に記憶されたアプリケーションプログラムと選択可能に表示されるアプリケーションプログラムの関係を「前記第３の記憶領域は前記システムプログラムの管理下で読み出される位置にあって、前記選択表示されたアプリケーションプログラムを含む予め固定された複数のアプリケーションプログラムが前記システムプログラムにより選択読み出しが可能に配置されており、」としている。
　出願当初の明細書では、第３の記憶領域に記憶されたアプリケーションプログラム、及び、選択可能に表示されるアプリケーションプログラムに関して、９頁１１行〜同１２行で「２３ａ〜２３ｄはパッケージ化された各アプリケーションプログラムａ〜ｄの記憶領域である。」とし、１１頁１２行〜同１４行で「例えばステップ６でＣＲＴ６に選択すべきアプリケーションの選択画面を表示し、」とするのみで、第３の記憶領域に記憶されたアプリケーションプログラムが選択表示されるアプリケーションプログラムを含むものであること、即ち、第３の記憶領域に記憶されたアプリケーションプログラムには選択表示されるアプリケーションプログラム以外のアプリケーションプログラムを含みうることは全く記載されておらず、示唆もされていない。
　以上のとおり、当該補正は、出願当初の明細書に記載されていない事項を本件特許の要旨として付加するものであり、認めることはできない。
（Ｃ）平成１０年１２月２５日付訂正について
（Ｃ−１）訂正明細書の特許請求の範囲に係る発明
　訂正明細書の特許請求の範囲に係る発明は、平成１０年１２月２５日付け訂正請求書に添付された訂正明細書の特許請求の範囲に記載された次のとおりのものである。
「（１）デジタル情報を記憶し、情報処理装置のディスクドライブ装置に着脱可能なディスクであって、
　少なくとも、第１の記憶領域と第２の記憶領域と第３の記憶領域とを有し、
　前記第１の記憶領域は前記情報処理装置が初期に読み出す位置に配置され、前記第２の記憶領域から前記情報処理装置へ次に実行されるプログラムを読み出すためのブーツストラッププログラムが記憶されており、
　前記第２の記憶領域は前記ブーツストラッププログラムにより読み出される位置に配置され、前記情報処理装置を動作させて前記第３の記憶領域に格納されたアプリケーションプログラムを実行するために、使用に先だって前記第３の記憶領域に格納された複数の選択すべきアプリケーションプログラムをオペレータによるリクエスト無しに選択可能に表示し、オペレータの選択指示に従って選択されたアプリケーションプログラムを前記第３の記憶領域から読み出して実行するシステムプログラムが記憶されており、
　前記第３の記憶領域は前記システムプログラムの管理下で読み出される位置にあって、前記複数の選択すべきアプリケーションプログラムが前記システムプログラムにより選択読み出しが可能に配置されていることを特徴とするディスク。
（２）更に、第４の記憶領域を有し、前記アプリケーションプログラムに使用される各種情報が読み出し可能に配置されていることを特徴とする特許請求の範囲第１項記載のディスク。
（３）前記着脱可能なディスクは光ディスクであることを特徴とする特許請求の範囲第１項又は第２項記載のディスク。」
（Ｃ−２）引用刊行物
　訂正拒絶理由通知で引用した「標準ＭＳ−ＤＯＳハンドブック」（１９８４年８月３１日発行）アスキー出版局第１７〜２３、３０〜４５、２０８〜２１７頁（以下、「引用刊行物１」と言う）には、以下のことが記載されている。
　（１）リセット直後にＲＯＭの中のプログラムが起動され、（略）その後、システムディスクからＲＯＭ−ＢＩＯＳがブート手続きのプログラムをメモリ上へロードします（Ｆｉｇ．１，４）。（２１１頁　１４行〜１８行）
　（２）ＭＳ−ＤＯＳのブート・プログラムは、各ディスクのトラック０、セクタ１、サイド０に書かれています（略）、このブート・プログラムが正しくロードされると、ＲＯＭ−ＢＩＯＳからこのプログラムへ制御が移ります（ＪＭＰする）。次にブート・プログラムはＭＳ−ＤＯＳの中心となる３つのファイルのうち、”ＩＯ．ＳＹＳ”と”ＭＳ−ＤＯＳ．ＳＹＳ”をメモリ上ヘロードします（Ｆｉｇ１．５）。（２１２頁　１行〜７行）
　”ＩＯ．ＳＹＳ”、”ＭＳ−ＤＯＳ．ＳＹＳ”の初期化動作はＦｉｇ．１．７の状態ですべて終了しました．後は”ＣＯＭＭＡＮＤ．ＣＯＭ”をメモリ上にロードして制御を移せは、初期化の処理はすべて終了することになります。（２１５頁　８行〜１０行）
　（３）２１６頁のＦｉｇ．１．９「初期化動作の流れ」で、ＣＯＭＭＡＮＤ．ＣＯＭのロード後、ＡＵＴＯＥＸＥＣ．ＢＡＴが実行され、コマンド待ちとなることが記載されている。
　（４）３１頁　２．２．２ファイル名の一覧出力（ＤＩＲ）には、コマンド”ＤＩＲ”を実行すると、ドライブＡのディスク、即ち着脱可能なディスクに存在するファイル名が表示されること（Ｆｉｇ．２．４）が記載されている。
　（５）３３頁〜４３頁には、オペレータの選択指示に従って選択されたアプリケーションプログラム（ＥＤＬＩＮ）をプログラム領域から読み出して実行することが記載されている。
　同じく引用した、特開昭５８−５６１４６号公報（以下、「引用刊行物２」と言う）には、
　ＣＰＵ１７はイニシャルプログラムローディングによってシステムが起動された後に、ＰＳＫキーがキー操作されるとプログラム選択起動のための割り込み処理を実行する。
　割り込み処理では、ＣＰＵ１７は外部記憶装置１３からプログラム名とプログラム番号との対応を示すプログラムテーブルを読み込み、プログラム番号順にレジスタ１６に保持せしめる。
　次にＣＰＵ１７はレジスタ１６から１画面分たとえば２６プログラム分のプログラムテーブルをプログラム番号順に取り出し（略）ＣＲＴモニタに表示出力する。
　オペレータはプログラムの選択起動を行うためキー操作を行い、目的とするプログラムを指定する。
ことが記載されている。このＣＲＴモニタヘの表示出力は「選択時に該システムプログラムが実行しなければならない固定された複数のアプリケーションを選択可能に表示」することであることは明らかである。
（Ｃ−３）対比・判断
　引用刊行物１のブート・プログラムが本件発明のブートストラッププログラムに相当し、該ブートストラッププログラムが記憶された領域が第１の記憶領域となる。引用刊行物１のＩＯ．ＳＹＳ，ＭＳＤＯＳ．ＳＹＳ，ＣＯＭＭＡＮＤ．ＣＯＭが本件発明のシステムプログラムがに相当する。また、引用刊行物１記載のものでは、前記システムプログラムの読み込み後、ＡＵＴＯＥＸＥＣ．ＢＡＴで指定されたプログラムがオペレータによるリクエスト無しに実行される。そして、これらプログラムが記憶された領域が第２の記憶領域となる
　引用刊行物１記載の記憶媒体（ディスク）には複数のアプリケーションプログラムが記憶されている（Ｆｉｇ．２．４）。このことから、引用刊行物１に記載される記憶媒体（ディスク）は、複数のアプリケーションプログラムを記憶し、その中から１つのアプリケーションプログラムを指定し、該指定されたアプリケーションプログラムを実行するものである事は明らかである。また、これら複数のアプリケーションプログラムはアプリケーションプログラムのための領域、即ち第３の領域にシステムプログラムから選択読み出し可能に配置されている。
　以上のことから、引用刊行物１には以下のことが記載されていることとなる。
「デジタル情報を記憶し、情報処理装置のディスクドライブ装置に着脱可能なディスクであって、
　少なくとも、第１の記憶領域と第２の記憶領域と第３の記憶領域とを有し、
　前記第１の記憶領域は前記情報処理装置が初期に読み出す位置に配置され、前記第２の記憶領域から前記情報処理装置へ次に実行されるプログラムを読み出すためのブーツストラッププログラムが記憶されており、
　前記第２の記憶領域は前記ブーツストラッププログラムにより読み出される位置に配置され、前記情報処理装置を動作させて前記第３の記憶領域に格納されたアプリケーションプログラムを実行するために、オペレータの選択指示に従って選択されたアプリケーションプログラムを前記第３の記憶領域から読み出して実行するシステムプログラムが記憶されており、
　前記第３の記憶領域は前記システムプログラムの管理下で読み出される位置にあって、前記複数の選択すべきアプリケーションプログラムが前記システムプログラムにより選択読み出しが可能に配置されていることを特徴とするディスク。」
　訂正請求された発明（１）と引用刊行物１記載のものと比較すると、前者では、システムプログラムが「使用に先だって前記第３の記憶領域に格納された複数の選択すべきアプリケーションプログラムをオペレータによるリクエスト無しに選択可能に表示」する構成であるのに対して、後者では、オペレータが選択可能なアプリケーションプログラムを表示することに関しては開示されていなす点で相違し、その余に実質的な差異は認められない。
　上記相違点を検討するに、オペレータによるアプリケーションプログラムの選択を支援するため、システムが起動された後にオペレータにより選択すべきアプリケーションプログラムの一覧を選択可能に表示するすることは引用刊行物２に示されるように広く知られている技術である。また、引用刊行物１に示されるように「ＭＳ−ＤＯＳ」では、システムの起動直後にＡＵＴＯＥＸＥＣ．ＢＡＴで指定されたアプリケーションプログラムがオペレータによるリクエスト無しに実行されることは周知の事実であり、ＡＵＴＯＥＸＥＣ．ＢＡＴにシステムの起動直後に実行したいアプリケーションプログラムを指定することは広く行われていることである。してみれば、引用刊行物１に示されるものにおいて、オペレータによるアプリケーションプログラムの選択を支援するため、ＡＵＴＯＥＸＥＣ．ＢＡＴに引用刊行物２に示される、オペレータにより選択すべきアプリケーションプログラムの一覧を選択可能に表示するするプログラムを指定し、「使用に先だって前記第３の記憶領域に格納された複数の選択すべきアプリケーションプログラムをオペレータによるリクエスト無しに選択可能に表示」する構成とすることに格別の技術力を要するとは認められない。
　訂正請求された発明（２）に関して、
　アプリケーションプログラムが別途情報を必要とする場合、その情報のための領域を設け、そこに必要とする情報を記憶することは周知慣用の事項である。引用刊行物１においても、文書編集プログラム”ＥＤＬＩＮ”によって利用される文書ファイル”ＥＤＨＬＰ．ＴＸＴ”或いは”ＢＩＧ．ＴＸＴ”をＡドライブ、即ちシステムディスクに格納することが記載されている。また、アプリケーションプログラムとして世に多数存在するグラフィック情報、音声情報等を取り扱うものとし、文字情報に加え、グラフィック情報、音声情報も格納することにも、新規な点はもちろん、何らの進歩性も認められない。
　訂正請求された発明（３）に関して、
　着脱可能な記憶媒体として光ディスクは周知であり、引用刊行物の着脱可能な記憶媒体であるフロッピーディスクを同じ着脱可能な記憶媒体である光ディスクとした事に全く意義は認められない。
　なお、特許権者は平成１１年２月１５日付特許異議意見書の７頁で、「　上述の補正（平成１１年２月１５日付補正）より、本件発明のＣＤブーツを実現する一枚の光ディスクを情報処理装置の光ディスクドライブ装置に装着するのみで、システムが立ち上がり、選択時に該システムプログラムが実行しなければならない固定された複数のアプリケーンョンを選択可能に表示し、オペレータが選択すると、当該光ディスクに予め固定配置されたアプリケーションの１つが、同じく当該光ディスクに固定配置された文字情報、グラフィック情報、音声情報を使って実行され、サービスを提供します。
　すなわち、本件発明の一枚の光ディスクは、例えばゲームやカーナビのように、予め完成されたストーリーのあるサービスをオペレータに提供するに当たって、その提供前にサービス内容の分岐を表示します（例えば、ゲームであれば、２人の対戦モードか、コンピュータとの対戦か、ゲームのデモか、の選択表示など）。この分岐の表示は、選択時にシステムプログラムが実行しなければならない予め同定された複数のアプリケーンョンプログラムの表示であり、オペレータは、分岐点で行き先を指示するだけで、サービスを受けることが可能です。」としている。しかし、平成１１年２月１５日付補正による発明も、平成１０年１２月２５日付で訂正請求された発明も「一枚の（光）ディスクを情報処理装置の（光）ディスクドライブ装置に装着するのみで、システムが立ち上がり、」アプリケーンョンプログラムを選択可能に表示するものであることは全く述べられていない。特許権者のこの主張は本件とは何ら関係のないものである。また、本件では選択表示を「第３の記憶領域に格納された複数の選択すべきアプリケーションプログラムをオペレータによるリクエスト無しに選択可能に表示し、オペレータの選択指示に従って選択されたアプリケーションプログラムを前記第３の記憶領域から読み出して実行する」ものであり、「ゲームであれば、２人の対戦モードか、コンピュータとの対戦か、ゲームのデモか、の選択表示」即ち、ゲームと言うアプリケーションプログラムの「モード」を選択するものではないことは明かである。
　また、引用刊行物２に示される技術も、オペレータによるシステムの利用に先立ち、利用のために実行するプログラムを表示された複数の候補から選択するものであり、本件と同様、システムを利用するというサービスをオペレータに提供するに当たって、その提供前にサービス内容の分岐を表示するものである。サービスの内容は選択表示されるアプリケーンョンプログラムの種類によって決まることであり、その内容が「完成されたストーリー」であるか否かは本件発明となんら関係のない事項である。
（Ｃ−４）むすび
　以上のとおり、訂正請求された明細書の特許請求の範囲に記載された発明は、引用刊行物１及び引用刊行物２記載の事項に基づいて当業者が容易に発明することができたものであり、特許法第２９条第２項の規定により特許出願の際独立して特許を受けることができないものであるから、本件訂正請求は、特許法第１２０条の４第３項で準用する特許法第１２６条第４項の規定に適合しないので、当該訂正請求は認められない。
（Ｄ）特許異議申立について、
（Ｄ−１）本件発明
　本件発明は特許明細書及び図面の記載からみて、その特許請求の範囲に記載された次のとおりのものと認められる。
「（１）デジタル情報を記憶し、情報処理装置のディスクドライブ装置に着脱可能なディスクであって、
　少なくとも、第１の記憶領域と第２の記憶領域と第３の記憶領域とを有し、
　前記第１の記憶領域は前記情報処理装置が初期に読み出す位置に配置され、前記第２の記憶領域から前記情報処理装置へ次に実行されるプログラムを読み出すためのブーツストラッププログラムが記憶されており、
　前記第２の記憶領域は前記ブーツストラッププログラムにより読み出される位置に配置され、前記情報処理装置を動作させて前記第３の記憶領域に格納されたアプリケーションプログラムを実行するために、使用に先だって前記第３の記憶領域に格納された複数の選択すべきアプリケーションプログラムを選択可能に表示し、オペレータの選択指示に従って選択されたアプリケーションプログラムを前記第３の記憶領域から読み出して実行するシステムプログラムが記憶されており、
　前記第３の記憶領域は前記システムプログラムの管理下で読み出される位置にあって、前記複数の選択すべきアプリケーションプログラムが前記システムプログラムにより選択読み出しが可能に配置されていることを特徴とするディスク。
（２）更に、第４の記憶領域を有し、前記アプリケーションプログラムに使用される各種情報が読み出し可能に配置されていることを特徴とする特許請求の範囲第１項記載のディスク。
（３）前記着脱可能なディスクは光ディスクであることを特徴とする特許請求の範囲第１項又は第２項記載のディスク。」
（Ｄ−２）引用刊行物
　取消理由通知で引用した「標準ＭＳ−ＤＯＳハンドブック」（１９８４年８月３１日発行）アスキー出版局第１７〜２３、３０〜４５、２０８〜２１７頁（以下、「引用刊行物１」と言う）には、以下のことが記載されている。
　（１）リセット直後にＲＯＭの中のプログラムが起動され、（略）その後、システムディスクからＲＯＭ−ＢＩＯＳがブート手続きのプログラムをメモリ上ヘロードします（Ｆｉｇ．１，４）。（２１１頁　１４行〜１８行）
　（２）ＭＳ−ＤＯＳのブート・プログラムは、各ディスクのトラック０、セクタ１、サイド０に書かれています（略）、このブート・プログラムが正しくロードされると、ＲＯＭ−ＢＩＯＳからこのプログラムへ制御が移ります（ＪＭＰする）。次にブート・プログラムはＭＳ−ＤＯＳの中心となる３つのファイルのうち、”ＩＯ．ＳＹＳ”と”ＭＳ−ＤＯＳ．ＳＹＳ”をメモリ上ヘロードします（Ｆｉｇ１．５）。（２１２頁　１行〜７行）
　　”ＩＯ．ＳＹＳ”、”ＭＳ−ＤＯＳ．ＳＹＳ”の初期化動作はＦｉｇ．１．７の状態ですべて終了しました．後は”ＣＯＭＭＡＮＤ．ＣＯＭ”をメモリ上にロードして制御を移せは、初期化の処理はすべて終了することになります。（２１５頁　８行〜１０行）
　（３）２１６頁のＦｉｇ．１．９「初期化動作の流れ」で、ＣＯＭＭＡＮＤ．ＣＯＭのロード後、ＡＵＴＯＥＸＥＣ．ＢＡＴが実行され、コマンド待ちとなることが記載されている。
　（４）３１頁　２．２．２ファイル名の一覧出力（ＤＩＲ）には、コマンド”ＤＩＲ”を実行すると、ドライブＡのディスク、即ち着脱可能なディスクに存在するファイル名が表示されること（Ｆｉｇ．２．４）が記載されている。
　（５）３３頁〜４３頁には、オペレータの選択指示に従って選択されたアプリケーションプログラム（ＥＤＬＩＮ）をプログラム領域から読み出して実行することが記載されている。
同じく引用した、特開昭５８−５６１４６号公報（以下、「引用刊行物２」と言う）には、
　ＣＰＵ１７はイニシャルプログラムローディングによってシステムが起動された後に、ＰＳＫキーがキー操作されるとプログラム選択起動のための割り込み処理を実行する。
　割り込み処理では、ＣＰＵ１７は外部記憶装置１３からプログラム名とプログラム番号との対応を示すプログラムテーブルを読み込み、プログラム番号順にレジスタ１６に保持せしめる。
　次にＣＰＵ１７はレジスタ１６から１画面分たとえば２６プログラム分のプログラムテーブルをプログラム番号順に取り出し（略）ＣＲＴモニタに表示出力する。
　オペレータはプログラムの選択起動を行うためキー操作を行い、目的とするプログラムを指定する。
ことが記載されている。このＣＲＴモニタヘの表示出力は「選択時に該システムプログラムが実行しなければならない固定された複数のアプリケーションを選択可能に表示」することであることは明らかである。
（Ｄ−３）対比・判断
　引用刊行物１のブート・プログラムが本件発明のブートストラッププログラムに相当し、引用刊行物１のＩＯ．ＳＹＳ，ＭＳＤＯＳ．ＳＹＳ，ＣＯＭＭＡＮＤ．ＣＯＭが本件発明のシステムプログラムがに相当する。また、引用刊行物１記載のものでは、前記システムプログラムの読み込み後、ＡＵＴＯＥＸＥＣ．ＢＡＴで指定されたプログラムがオペレータによるリクエスト無しに実行される。
　引用刊行物１記載の記憶媒体（ディスク）には複数のアプリケーションプログラムが記憶されている（Ｆｉｇ．２．４）。このことから、引用刊行物１に記載される記憶媒体（ディスク）は、複数のアプリケーションプログラムを記憶し、その中から１つのアプリケーションプログラムを指定し、該指定されたアプリケーションプログラムを実行するものである事は明らかである。また、これら複数のアプリケーションプログラムはアプリケーションプログラムのための領域、即ち第３の領域にシステムプログラムから選択読み出し可能に配置されている。
　以上のことから、引用刊行物１には以下のことが記載されていることとなる。
「デジタル情報を記憶し、情報処理装置のディスクドライブ装置に着脱可能なディスクであって、
　少なくとも、第１の記憶領域と第２の記憶領域と第３の記憶領域とを有し、
　前記第１の記憶領域は前記情報処理装置が初期に読み出す位置に配置され、前記第２の記憶領域から前記情報処理装置へ次に実行されるプログラムを読み出すためのブーツストラッププログラムが記憶されており、
　前記第２の記憶領域は前記ブーツストラッププログラムにより読み出される位置に配置され、前記情報処理装置を動作させて前記第３の記憶領域に格納されたアプリケーションプログラムを実行するために、オペレータの選択指示に従って選択されたアプリケーションプログラムを前記第３の記憶領域から読み出して実行するシステムプログラムが記憶されており、
　前記第３の記憶領域は前記システムプログラムの管理下で読み出される位置にあって、前記複数の選択すべきアプリケーションプログラムが前記システムプログラムにより選択読み出しが可能に配置されていることを特徴とするディスク。」
　本件発明（１）と引用刊行物１記載のものと比較すると、前者では、システムプログラムが「使用に先だって前記第３の記憶領域に格納された複数の選択すべきアプリケーションプログラムを選択可能に表示」する構成であるのに対して、後者では、オペレータが選択可能なアプリケーションプログラムを表示することに関しては開示されていなす点で相違し、その余に実質的な差異は認められない。
　上記相違点にを検討するに、オペレータによるアプリケーションプログラムの選択を支援するため、システムが起動された後にオペレータにより選択すべきアプリケーションプログラムの一覧を選択可能に表示するすることは引用刊行物２に示されるように広く知られている技術である。また、引用刊行物１に示されるように「ＭＳ−ＤＯＳ」では、システムの起動直後にＡＵＴＯＥＸＥＣ．ＢＡＴで指定されたアプリケーションプログラムが実行されることは周知の事実である。そして、ＡＵＴＯＥＸＥＣ．ＢＡＴにシステムの起動直後に実行したいアプリケーションプログラムを指定することは広く行われていることである。してみれば、引用刊行物１に示されるものにおいて、オペレータによるアプリケーションプログラムの選択を支援するため、ＡＵＴＯＥＸＥＣ．ＢＡＴに引用刊行物２に示される、オペレータにより選択すべきアプリケーションプログラムの一覧を選択可能に表示するするプログラムを指定し、「使用に先だって前記第３の記憶領域に格納された複数の選択すべきアプリケーションプログラムを選択可能に表示」する構成とすることに格別の技術力を要するとは認められない。
　本件発明（２）に関して、
　アプリケーションプログラムが別途情報を必要とする場合、その情報のための領域を設け、そこに必要とする情報を記憶することは周知慣用の事項である。引用刊行物１においても、文書編集プログラム”ＥＤＬＩＮ”によって利用される文書ファイル”ＥＤＨＬＰ．ＴＸＴ”あるいは”ＢＩＧ．ＴＸＴ”をブーツストラッププログラム、システムプログラム、およびアプリケーションプログラムの格納されているディスクに格納することが記載されている。
　本件発明（３）に関して、
　着脱可能な記憶媒体として光ディスクは周知であり、引用刊行物の着脱可能な記憶媒体であるフロッピーディスクを同じ着脱可能な記憶媒体着脱可能な記憶媒体である光ディスクとした事に全く意義は認められない。
（Ｄ−４）むすび
　以上のとおり、本件発明は、引用刊行物１及び引用刊行物２記載の事項に基づいて当業者が容易に発明することができたものであるから、本件特許は特許法第２９条第２項の規定に違反してなされたものである。
　したがって、本件発明は、特許法第１１３条第１項第２項に該当する。
　よって、結論のとおり決定する。
【異議決定日】
平成１１年３月２６日（１９９９．３．２６）